(57)【要約】空気圧縮機を備えていない泡発生装置で使用するのに適する洗浄組成物が記載されている。該洗浄組成物は、洗浄しようとする非水平表面に塗布することができ、該洗浄組成物は、棒状ミセル構造を形成する陽イオン部位とアニオン部位とを有する。【特許請求の範囲】
【請求項１】
（ａ）任意成分としてのアルカリ源；
（ｂ）カチオン部位；および
（ｃ）アニオン部位
を含む洗浄剤濃縮物であって、実質的にイソステアリン酸および有機溶剤を含んでおらず、該カチオン部位および該アニオン部位が棒状ミセル構造を形成していることを特徴とする洗浄剤濃縮物。
【請求項２】
前記アルカリが、アルカリ金属水酸化物もしくはアルカリ土類金属水酸化物、炭酸ナトリウム、トリポリリン酸ナトリウム、ケイ酸ナトリウム、水酸化アンモニウムまたはそれらの混合物である請求項１に記載の洗浄剤濃縮物。
【請求項３】
前記カチオン部位が、アミン、第四級アミン、アミンオキシドおよびそれらの混合物からなる群より選択されたものである請求項１に記載の洗浄剤濃縮物。
【請求項４】
前記アニオン部位が、Ｃ６〜Ｃ１０脂肪酸の塩またはドデシルベンゼンスルホン酸ナトリウムもしくはカリウムから誘導されたものである請求項１に記載の洗浄剤濃縮物。
【請求項５】
汚れた表面を洗浄する方法であって、
（ａ）約１．０〜約２０．０ｃｐｓの粘度を有し、かつ
（ｉ）任意成分としてのアルカリ源；
（ｉｉ）カチオン部位；および
（ｉｉｉ）アニオン部位
を含んでおり、該カチオン部位および該アニオン部位が棒状ミセル構造を生ずる洗浄組成物を前記表面に塗布する工程と
（ｂ）該洗浄組成物を該表面に、泡発生装置を用いて平方メートル当たり約６０〜約２３０ｍｌの量で塗布して、厚さが約０．２〜約３．０ｃｍで泡の直径が約０．７５〜約２．５ｍｍである泡の層を形成し、該洗浄組成物を該表面の汚れに作用させる工程とを含むことを特徴とする方法。
【請求項６】
前記の洗浄組成物を有する汚れた表面に追加の洗浄組成物を塗布する工程をさらに含む請求項５に記載の汚れた表面を洗浄する方法。
【発明の詳細な説明】
【技術分野】
【０００１】
本発明は、泡発生装置で使用するのに適した洗浄組成物に関する。具体的には、本発明は、約３５．０重量％より多い水を含む洗浄剤濃縮物であって、そのため、それから得られる洗浄組成物がイソステアリン酸および有機溶剤を実質的に含まない洗浄剤濃縮物に関する。
【背景技術】
【０００２】
本質的に水平ではない表面、特に硬い表面用の洗浄組成物を開発することが望まれるようになった。実際に、濃厚で水性の硬表面洗浄組成物の開発に多くの努力が費やされている。濃厚で水性の硬表意面洗浄組成物（すなわち、高粘性組成物）は、例えば、食品および飲料処理工場、乳製品工場、醸造所、台所などにおける汚れた表面の洗浄を可能にする。かかる洗浄が達成されるのは、そのような組成物は、それ自身が高粘性であることの直接の結果として汚れた表面に十分に長い時間留まって汚れに作用するためである。
【０００３】
しかし、残念ながら、従来の硬表面用の濃厚な水性の洗浄組成物は、配合に費用がかかり、必ずしも環境に優しいとは限らない。そのうえ、それら組成物は高粘性であるため、泡を製造するために水と空気圧とを供給する高価で複雑な泡発生器の使用を必要とする。従来のかかる組成物はまた、すすぎ落とすのが困難な傾向がある。
【０００４】
配合に費用が掛からず、環境に優しく、かつ泡を製造するために水によって生ずる圧力しか必要としない（すなわち、低粘度）の装置で、汚れた表面に塗布することができる洗浄組成物を開発することへの関心が高まりつつある。したがって、本発明は、水が約３５．０重量％より多い洗浄剤濃縮物、およびそれから調製される実質的にイソステアリン酸および有機溶剤を含まない洗浄組成物に関する。さらに、本発明の洗浄組成物は、泡の発生を空気圧縮機からの空気に依存しないで行う泡発生器を用いて、表面洗浄に使用することが可能である。
【０００５】
補足資料
洗浄組成物を製造するための取り組みが開示されている。米国特許第６，２６８，３２４号は、棒状ミセル濃厚化系を有する濃厚硬質表面洗浄剤を開示している。
洗浄組成物を製造するための他の取り組みが開示されている。米国特許第５，３９９，２８５号は、アミンオキシド界面活性剤を含む硬質表面洗浄剤を開示している。
洗浄組成物を製造するためのさらに他の取り組みが開示されている。米国特許第４，８８９，６５４号は、水性泡消毒液を開示している。
【特許文献１】
米国特許第６，２６８，３２４号
【特許文献２】
米国特許第５，３９９，２８５号
【特許文献３】
米国特許第４，８８９，６５４号
【発明の開示】
【課題を解決するための手段】
【０００６】
第１の観点において、本発明は、
（ａ）任意成分としてのアルカリ源；
（ｂ）カチオン部位；および
（ｃ）アニオン部位
を含む洗浄剤濃縮物であって、実質的にイソステアリン酸および有機溶剤を含んでおらず、該カチオン部位および該アニオン部位が棒状ミセル構造を形成している前記洗浄剤濃縮物に関する。
【０００７】
第２の観点において、本発明は、汚れた表面を洗浄する方法であって、
（ａ）約１．０〜約２０．０ｃｐｓの粘度を有しており、かつ
（ｉ）任意成分としてのアルカリ源；
（ｉｉ）カチオン部位；および
（ｉｉｉ）アニオン部位
を含んでおり、該カチオン部位および該アニオン部位が棒状ミセル構造を生ずる洗浄組成物を該表面に塗布する工程；ならびに
（ｂ）該洗浄組成物を該表面に、泡発生装置を用いて平方メートル当たり約６０〜約２３０ｍｌの量で塗布して、厚さが約０．２〜約３．０ｃｍで泡の直径が約０．７５〜約２．５ｍｍである泡の層を形成し、該洗浄組成物を該表面の汚れに作用させる工程を含む方法に関する。
【０００８】
ここで使用する洗浄剤濃縮物とは、その使用前に好ましくは水で希釈される組成物を意味する。また、ここで使用する洗浄組成物とは、溶剤または残余分としての水を含み、該洗浄組成物の全重量を基準として、約０．５〜約１５．０重量％、好ましくは約０．７５〜約１０．０重量％、最も好ましくは約１．０〜約５．０重量％の洗浄剤濃縮物を含み、かつそれに包含されるすべての範囲を含む組成物を意味している。ここで使用する「実質的に含まない」という表現は、洗浄剤濃縮物、洗浄組成物またはその双方の全重量を基準として約１．０重量％未満、好ましくは約０．７５重量％未満、最も好ましくは約０．５０重量％未満であることを意味する。棒状ミセル構造とは、カチオン部位とアニオン部位とが棒状ミセルシックナー組成物を形成していることを意味する。
【発明を実施するための最良の形態】
【０００９】
本発明で使用するアルカリ源については、そのアルカリ源が洗浄組成物中で使用することができるものであれば他には何の制限もない。一般的には、本発明で使用するアルカリ源は、アルカリ金属水酸化物またはアルカリ土類金属水酸化物およびそれらの混合物を含めた中から選択される塩基である。本発明の洗浄組成物に使用する好ましいアルカリ源は、水酸化ナトリウム、水酸化カリウムまたは水酸化リチウムであるが、水酸化カリウムが特に好ましい。本発明で使用することができるその他のアルカリ源としては、炭酸ナトリウム、トリポリリン酸ナトリウム、ケイ酸ナトリウム、水酸化アンモニウムおよびそれらの混合物などが挙げられる。
【００１０】
本発明の洗浄剤濃縮物に使用するアルカリ源の量（それが必要な場合）に関しては、洗浄剤濃縮物の全重量を基準として、一般的には約１．０〜約２０．０重量％、好ましくは約２．０〜約１５．０重量％、最も好ましくは約５．０〜約１２．０重量％のアルカリ源を使用するものとし、それに包含されるすべての範囲を含む。
【００１１】
本発明で使用することができるカチオン部位は、アニオン部位と一緒に棒状ミセル構造を形成するために使用することができる部位にのみ制限される。カチオン部位は、しばしば、アミン、第四級アミン、アミンオキシドおよびそれらの混合物等から選択される。かかるカチオン部位は、好ましくは、場合に応じ１個または２個のアルキル基および１個または２個のアルキレンオキシ基を有するトリアルキルアミンであり、ここで好ましいアルキレンオキシド基はプロピレンオキシドであり、最も好ましくはエチレンオキシドである。本発明で使用するのに適する第四級アンモニウム化合物としては、脂肪族アミン、芳香族アミン、トリアルキルアミンオキシドおよびそれらの混合物などから調製されるものが挙げられる。本発明で使用するのに最も好ましいカチオン部位は、Ｓｔｅｐａｎ  Ｃｏｍｐａｎｙが製造し、Ａｍｍｏｎｙｘ  ＭＯの商品名で市販しているアミンオキシドである。
【００１２】
本発明で使用することができるアニオン部位は、上述したカチオン部位と一緒に棒状ミセル構造を形成するために使用することができる部位にのみ制限される。そのようなアニオン部位としては、これらに限定はされないが、好ましくは親油性部位および／またはスルホン基、硫酸基、またはカルボン酸基を含むカップリング剤または洗浄剤が挙げられる。本発明で使用することができるアニオン部位の説明に役立つ実例としては、Ｃ６〜Ｃ１０脂肪酸の塩から誘導されるものおよびクメンスルホネート、２−ヒドロキシベンゾエートパラトルエン、線状トリデシルベンゼンスルホン酸ナトリウム、ドデシルベンゼンスルホン酸ナトリウムもしくはカリウム、オクタデシルベンゼンスルホン酸カリウム、ラウリル硫酸ナトリウム、それらの混合物などの塩等が挙げられる。最も好ましいアニオン部位は、ドデシルベンゼンスルホン酸ナトリウムから誘導されたものであり、Ｓｔｅｐａｎ  Ｃｏｍｐａｎｙのような供給業者から入手することができる。本発明で使用することができる周知のタイプの陽イオン部位やアニオン部位のより詳細な説明は、米国特許第６，２６８，３２４号に見出すことができ、その開示内容は参考として本明細書に組み込まれる。
【００１３】
カチオン部位については、洗浄剤濃縮物の全重量を基準として、一般的には約０．１〜約３５．０重量％、好ましくは約１．０〜約２０．０重量％、最も好ましくは約２．０〜約１５．０重量％のカチオン部位を使用するものとし、それに包含されるすべての範囲を含む。
【００１４】
アニオン部位は、洗浄剤濃縮物の全重量を基準として、一般的には洗浄剤濃縮物の約０．０１〜約８．０重量％、好ましくは約０．０５〜約５．０重量％、最も好ましくは約０．１〜約２．５重量％を構成し、それに包含されるすべての範囲を含む。
【００１５】
本発明で使用することができる任意の添加剤としては、安定剤、金属イオン封鎖剤および漂白剤が挙げられる。本発明で使用することができる好ましい安定剤としては、例えば、キシレンスルホン酸ナトリウム、パラフィンスルホン酸、ラウリル硫酸ナトリウム、ナフタレンスルホン酸、それらの混合物などが挙げられ、キシレンスルホン酸ナトリウムが最も好ましい。本発明で使用することができる金属イオン封鎖剤としては、例えば、ピロリン酸アンモニウム、ポリメタリン酸ナトリウム、トリポリリン酸ナトリウム、トリポリリン酸カリウム、２−ホスホノ−ブタントリカルボン酸−１，２，４，ポリアクリル酸（例えば、Ａｃｕｓｏｌ  ４４５）、それらの混合物などが挙げられる。
【００１６】
本発明の洗浄組成物に使用することができる漂白剤としては、洗浄組成物に使用できるあらゆる漂白剤が含まれる。そのような漂白剤としては、過酸化ベンゾイル、過酸化水素、アシルペルオキシド、過炭酸ナトリウム、過ホウ酸ナトリウム、次亜塩素酸ナトリウム、およびそれらの混合物などが挙げられる。
【００１７】
本発明の洗浄剤濃縮物に使用する任意の添加剤の量は、一般的には、洗浄剤濃縮物の全重量を基準として、安定剤は約０．５〜約１０．０重量％、金属イオン封鎖剤は約０．５〜約１０．０重量％、漂白剤は約１．０〜約４０．０重量％であり、それに包含されるすべての範囲を含む。濃縮物の残余分は実質的に水であり、水は、一般的に、洗浄剤濃縮物の重量の約３５．０重量％〜約７０．０重量％、好ましくは約３５．０重量％〜約５５．０重量％、最も好ましくは約３５．０重量％〜約４５．０％重量を構成し、それに包含されるすべての範囲を含む。
【００１８】
本発明の洗浄剤濃縮物を製造する場合は、各成分（例えば、陽イオンおよびアニオン部位、アルカリ源、水）を、（順不同で）混合容器に入れ、例えば、室温、大気圧下において適度に攪拌する。得られた洗浄剤濃縮物は、そのまま、使用前に水で希釈する（洗浄組成物を形成するため）旨の使用説明および／またはその洗浄剤濃縮物をエダクタなどの泡発生装置と共に使用する旨の使用説明をつけて販売することができる。本発明の洗浄組成物をエンドユーザーに直接販売することもまた本発明の範囲内に包含される。
【００１９】
最も好ましい実施形態において、本発明の洗浄組成物は約１．０〜約２０．０ｃｐｓ、好ましくは約１．０〜約１５．０ｃｐｓ、最も好ましくは約１．０〜約１２．０ｃｐｓの粘度を有し、それに包含されるすべての範囲を含む。かかる粘度の値は、ブルックフィールド粘度計を用い、ＬＶセットのスピンドルＮｏ．１を用いて室温で行う粘度測定の結果に基づくものである。
【００２０】
本発明の洗浄組成物で泡を発生させる場合は、あらゆる従来型の泡発生システムまたはポンプ（すなわち、泡発生装置）を使用することができる。かかるシステムまたはポンプとしては、エダクタや米国特許第３，３３７，１９５号および第３，８２３，７２７号に記載されているものと同様の泡発生装置が挙げられる。前述したように、本発明に係る洗浄組成物は、空気圧縮機を備えていない泡発生装置を用いて使用することができる。
【００２１】
したがって、所望により、本発明の洗浄剤濃縮物は、米国特許第５，１５９，９５８号、第５，６７３，７２５号、第５，９２７，３３８号、および国際公開第９４／０４８５７号に記載されているもののようなエダクタを用いて使用することができる。しかしながら、特に好ましい実施形態においては、本発明の洗浄組成物は、Ｌａｆｆｅｒｔｙ  Ｅｑｕｉｐｍｅｎｔ  Ｍｆｇ．，  Ｉｎｃ．により製造され、ＬＣ  Ｆｏａｍｅｒの商品名で市販されているもののような高容量泡発生器（圧縮空気源を有する）を用いて使用する。
【００２２】
汚れた表面を本発明に係る洗浄組成物で洗浄する場合は、洗浄組成物を最初に予備混合してもよく、あるいは濃縮物を泡発生装置に供給し、もしくは取り込んでもよく、装置の近くまたは装置内で水と混合する。洗浄組成物をいかに製造するかとは無関係に、本洗浄組成物を空気と混合して起泡洗浄組成物を製造するものであるが、その空気は大気または圧縮機から発生する空気のいずれか、またはその双方である。この起泡洗浄組成物を、次いで一般的にはスプレーノズルにより洗浄対象である汚れた表面に塗布する。
【００２３】
起泡洗浄組成物を作製するために使用する水は、一般的には約４５℃〜約８０℃、好ましくは約５５℃〜約６５℃である。泡発生装置中の水圧は、一般的には約１０ｐｓｉ〜約４００ｐｓｉ、好ましくは約３０ｐｓｉ〜約２００ｐｓｉである。泡発生装置に供給する空気は、通常は約２０ｐｓｉ〜約１８０ｐｓｉ、好ましくは約２５ｐｓｉ〜約１５０ｐｓｉ、最も好ましくは約２５ｐｓｉ〜約１２０ｐｓｉに加圧され、それに包含される全ての範囲を含む。起泡洗浄組成物をスプレーノズルに供給するための好ましい導管は、約１．２５ｃｍ〜約５．０ｃｍ、好ましくは約１．２５ｃｍ〜約２．７５ｃｍの内径を有しており、その導管の長さは、好ましくは約２５メートル以下、最も好ましくは約１５メートル以下である。
【００２４】
起泡洗浄組成物を洗浄対象である汚れた表面に塗布する際、起泡洗浄組成物は、一般的には、泡発生装置の吐出口（例えば、スプレーノズル）から毎秒約５．０〜約３０．０メートルの速度で吐出される。起泡洗浄組成物は、起泡洗浄組成物が泡発生装置の使用者（１人または複数）の邪魔にならないような距離から、当該表面に例えば吹き付けまたは塗布する。汚れた表面に塗布する場合、表面の１平方メートル当たり約６０〜約２３０ｍｌ、好ましくは約７０〜約１２０ｍｌの起泡洗浄組成物を塗布する。製造した起泡洗浄組成物は、一般的には、表面に０．２〜約３．０ｃｍ（好ましくは、約０．２〜約１．０ｃｍ）の厚さで塗布され、約０．７５〜約２．５ｍｍの泡（例えば、気泡）の直径を有する。
【００２５】
起泡洗浄組成物を汚れた表面に塗布した後、泡洗浄組成物はその壁上に約５．０〜約４５分間、好ましくは約１０．０〜約３０分間放置する。意外なことに、本発明の洗浄組成物は、その比較的低い粘度特性にも拘わらず、表面（非水平面など）に対して優れた接着性を示す。汚れた表面上にある間に、本発明の好ましい実施形態においては、その上に起泡洗浄組成物を有する汚れた表面に、起泡洗浄組成物の第２の塗布を行うことができる。この第２の塗布において起泡洗浄組成物を塗布する量は、最初に表面に塗布した起泡洗浄組成物の量に対して、好ましくは約１０．０％〜約５０．０％であり、より好ましくは、約１５．０％〜約３０．０％である。起泡洗浄組成物を塗布した後、上に起泡洗浄組成物を有する汚れた表面を続いて水ですすいで実質的に汚れのない表面を得る。
【００２６】
本発明の理解を助けるために以下に実施例を提供する。この実施例は、請求項に記載した本発明の範囲を限定することを意図したものではない。
【実施例１】
【００２７】
以下の各成分を混合容器中で混合することにより以下の洗浄組成物を調製した。
【００２８】
【表１】
2005505684.tif 000002
本実施例の洗浄剤濃縮物を９６．０重量％の脱イオン水と混合して洗浄組成物を製造した。
【実施例２】
【００２９】
実施例１の洗浄組成物を壁掛け式のＬａｆｆｅｒｔｙ  ＬＣ  Ｆｏａｍｅｒ（モデルＮｏ．９１５１０５）を使用して、水および空気と混合し、垂直なステンレス鋼パネルに塗布した。透明なピンクのオリフィスチップを備えた化学品吸引チューブを洗浄組成物の入っている容器内に入れた。水および空気の接続を作動させて垂直なステンレス鋼パネルへの泡の塗布のための調整を行った。垂直面への付着性を、起泡洗浄組成物塗布停止１０分後のパネルの被覆度パーセントを観察し、記録した。６０ｐｓｉの水供給圧と６０ｐｓｉの空気圧で、均一で平らな泡の被覆が形成された。１０分間の接触時間後も、最初に塗布した表面の少なくとも６５％が起泡洗浄組成物で被覆されたままであった。
【００３０】
本実験結果は、意外にも、本発明の起泡洗浄組成物が、その低い粘度特性にも拘わらず優れた付着性を発揮することを示している。
【国際公開パンフレット】
2005505684.tif 000003
2005505684.tif 000004
2005505684.tif 000005
2005505684.tif 000006
2005505684.tif 000007
2005505684.tif 000008
2005505684.tif 000009
2005505684.tif 000010
2005505684.tif 000011
2005505684.tif 000012
2005505684.tif 000013
2005505684.tif 000014
2005505684.tif 000015
2005505684.tif 000016
2005505684.tif 000017
2005505684.tif 000018
【国際調査報告】
2005505684.tif 000019
2005505684.tif 000020
2005505684.tif 000021